Podtech/llm-jp-corpus-v4-ja_patent huggingface dataset:
(57)【要約】【課題】  安価で、電池なども不要、小型・軽量で、携帯に便利な携帯用局部洗浄具を得る。【解決手段】  柔軟性を有する容器本体１と、この容器本体１の口部１ａに着脱自在に螺着されたキャップ部材２と、このキャップ部材２の横方向に設けられた噴出孔２ｂとを備える。【選択図】  図１
2005218839.tif 000002
【特許請求の範囲】
【請求項１】
柔軟性を有する容器本体と、この容器本体の口部に着脱自在に螺着されたキャップ部材と、このキャップ部材の横方向に設けられた噴出孔とを備えたことを特徴とする携帯用局部洗浄具。
【発明の詳細な説明】
【技術分野】  本発明は、排便・排尿後、またはビデとして女性陰部など、局部洗浄のために、水又は湯などの洗浄液を利用する携帯用局部洗浄具に関するものである。
【背景技術】
【０００１】  従来の携帯用局部洗浄具としては、電力によりポンプを駆動させて洗浄水を噴出させるもの（例えば、特許文献１）や、容器にノズルを設置し、洗浄水を充填して握力により噴出させるもの（特許文献２）などが提案されている。
【参考文献１】
特開平１０−０１５０２１号
【参考文献２】
特開２００１−２０４６５０号
【発明の開示】
【発明が解決しようとする課題】
【０００２】  従来の携帯用局部洗浄具においては、乾電池等電力によりポンプを駆動させるものは、高価であり、大きさ、重量などから携帯に不便であった。また、携帯中に電池が切れて使用できなくなる場合がある、また、長期間未使用で放置しておくと電池の腐敗により、故障の原因にもなる、などの問題点があった【０００３】  ノズル付きの握力により噴出させるものは、軽量ではあるが、携帯し易いほど小型化でき難いと言う問題点があった。【０００４】  本発明の携帯用局部洗浄具は、上述のような問題点を解決するためになされたもので、安価で、電池なども不要、小型・軽量で、携帯に便利な携帯用局部洗浄具を得ることを目的とする。
【問題を解決するための手段】
【０００５】  本発明の携帯用局部洗浄具は柔軟性を有する容器本体と、この容器本体の口部に着脱自在に螺着されたキャップ部材と、このキャップ部材の横方向に設けられた噴出孔とを備え、上記容器本体に水または湯などの洗浄液を充填し、容器本体を圧迫することにより、充填した水または湯などの洗浄液を噴出孔より噴出できるようにしたものである。
【発明の効果】
【０００６】  本発明は、電力などの動力を使わないで、使用者本人の握力を使用することで、電池切れの不安がなく、電池代が不要、機械的動力源がないので、軽量、かつ小型化でき、携帯に便利である。
【発明を実施するための最良の形態】
【０００７】実施の形態１．
図１は、この発明の携帯用局部洗浄具を示す正面図である。図２は、キャップ部材２の断面図である。図３は容器本体を携帯用に丸めた状態を示す斜視図である。図において、１は柔軟性を有する合成樹脂製またはゴム等で形成された容器本体であり、雄ねじが形成された口部１ａを有し、内部が中空であり、容量は約３００ｃｃ〜１０００ｃｃの液体を入れるものが一般的である。なお、容量としては、約５００ｃｃが望ましい。なお、容器本体は、例えば、マヨネーズを食した後の破棄されるものを用いても良い。２は合成樹脂製のキャップ部材であり、容器本体１の口部１ａに着脱できるように雌ねじ２ａが形成されている。【０００８】  また、キャップ部材２は、図２に示すように、噴射孔２ｂを有し、水または湯の噴出方向が望ましい方向になるように穿孔されている。その方向は、図示の角度αが、外周部２ｃに対して、２０度〜１１０度に形成されているのが一般的であるが、約６０度の角度が望ましい。【０００９】  上記の様に構成された携帯用局部洗浄具の使用方法を説明する。先ず、使用の前に容器本体１に必要量の水または湯などの洗浄液を充填し、キャップ部材２を螺着する。次に、排便後・排尿後、またはビデとして使用する場合、噴射孔２ｂを目的の部所に向け、容器本体１を握力で圧迫し、噴射孔２ｂから噴射する水または湯などの洗浄液により局部の汚れを洗い流す。なお、携行する場合は、図３に示すように容器本体１を丸めて、携行することができる。【００１０】  また、本発明の携帯用局部洗浄具は、柔軟性を有する容器本体はマヨネーズを食した後、破棄され、ゴミとなる容器を再使用することができるので、ゴミ減量に寄与できる。
また、一容器では洗浄液の不足の場合は、軽量・小型化できているし、安価なので、複数個携帯することが容易でもあり、自宅でに使用ばかりでなく、外出先の仕事場や学校や山野などにおいても使用可能で、トイレットペーパーを使わないことにより、森林資源の保護に役立ち、山小屋など山野でのトイレットペーパー公害を防ぎ、水洗トイレのつまりを防ぎ、局部は清潔に保つことができ、下着の汚れを防止し、痔病や軟便のときなどは特に効果が大である。
なお、ビデとしてご婦人が使用することも可能である。
また、小型の植木鉢への水遣りや小鳥への水やりなど少量の液体を供給する場合にも使用できる。
【図面の簡単な説明】
【００１１】
【図１】  本発明の携帯用局部洗浄具を示す正面図である。
【図２】  本発明のキャップ部材の断面図である。
【図３】  本発明の容器本体を携帯時用に丸めた状態を示す斜視図である。
【符号の説明】
【００１２】１  容器本体、１ａ  容器本体雄ねじ口部、２  キャップ部材、２ａ  口部、２ｂ  噴射孔、
【図１】
2005218839.tif 000003
【図２】
2005218839.tif 000004
【図３】
2005218839.tif 000005
(57)【要約】【課題】  家族団らんでテーブルとして炬燵に居る場合と、食卓の切り替わりに天板の上にある小物類をかたづける必用があり、めがね、テレビのリモコンやテッシュペーパー等の格納場所となる引き出し２を提供する。【解決手段】  多方向から使用出来る引き出し２をつけることによって家族それぞれの専用の引き出しを決めて、各自の専用小物を整理格納できるようにする。【選択図】        図３
2005218837.tif 000002
【特許請求の範囲】
【請求項１】
多方向から使用できる引き出し付き炬燵用天板。
【請求項２】
既に使用中（引き出し付きでない）天板と炬燵の間に引き出しがはいるアダプター。
【発明の詳細な説明】
【発明の詳細な説明】
【技術分野】
【０００１】本発明は、炬燵の天板と炬燵の間に多方向から使用出来る引き出しを取り付け、日常使用する小物類（テレビ、ビデオ、音響機器のリモコンはさみ、目がね、爪きり、耳掻き、筆記具、メモ用紙、テッシュペーパー等など）を入れて整理できるようにしたものである。
【背景技術】
【０００２】従来は、引き出し付き天板はない。
【発明が解決しようとする課題】
【０００３】冬場の炬燵の天板には、テレビ、ビデオ、や音響機器のリモコン、めがね等の小物類が雑然と置かれている。夏場の炬燵はテーブルとして使う場合に炬燵の下が物置場所となり整理できない問題を解消する為に考えたものである。
【課題を解決する為の手段】
【０００４】天板と炬燵の間に引き出しを取り付けることで、日常使用する小物類を整理格納できる。
【発明を実施するための最良の形態】
【０００５】以下、本発明の実施の形態について説明する。
（イ）多方向にテイッシュペーパーや筆記具など同じ小物を使用する引き出し２は専用化し同一サイズの引き出しにする。
（ロ）天板が正方形、長方形または多角形、丸型であっても形やサイズにに合せて適当数の引き出しを多方向に取り付ける。
【発明の効果】
【０００６】炬燵のシーズン、テーブルのシーズンに関係なくオールシーズン使用出来て小物類が整理格納出来る。
【図面の簡単な説明】
【図１】本発明の正面図である。
【図２】本発明の上面図（一部断面図）である。
【図３】本発明の使用状態を示す。
【図４】既存天板（引き出しのない天板）用のアダプター図で上板３は不要。
【符号の説明】
１  天板本体
２  引き出し
３  上板
４  下板
５  上板と下板をつなぐ骨組
【図１】
2005218837.tif 000003
【図２】
2005218837.tif 000004
【図３】
2005218837.tif 000005
【図４】
2005218837.tif 000006
(57)【要約】【課題】  大きいシーツは場所を取らずに広げて干すことができるようにする。また取り込み易くする。【解決手段】  長さ方向に平行な３本の縦フレーム１、２、３の両端を横フレーム４、５で連結した平面形状が日の字形のフレームＦを有し、同フレームＦは、前記３本の縦フレーム１、２、３は中央部に設けたヒンジ６で２つに折り畳みが可能となっており、前記横フレーム４、５には、それぞれ少なくとも２本の吊り紐７の一端を一定の間隔で取り付け、各吊り紐７の他の端にはフック１０を取り付け、前記縦フレーム１、２、３と横フレーム４、５には連結紐８を介してピンチ９を取り付けたことを特徴とする物干しハンガー。【選択図】    図１
2005218835.tif 000002
【特許請求の範囲】
【請求項１】
長さ方向に平行な３本の縦フレーム１、２、３の両端を横フレーム４、５で連結した平面形状が日の字形のフレームＦを有し、同フレームＦは、前記３本の縦フレーム１、２、３は中央部に設けたヒンジ６で２つに折り畳みが可能となっており、前記横フレーム４、５には、それぞれ少なくとも２本の吊り紐７の一端を一定の間隔で取り付け、各吊り紐７の他端にはフック１０を取り付け、前記縦フレーム１、２、３と横フレーム４、５には、連結紐８を介してピンチ９を取り付けたことを特徴とする物干しハンガー。
【発明の詳細な説明】
【技術分野】
【０００１】  この発明はシーツ、バスタオル、ブランケット等のシーツ状の物を干すのに使用する、物干しハンガーに関するものである。
【背景技術】
【０００２】  大きいシーツは物干し竿に直接干す方法しかなく、物干し竿に干すと急に雨が降ってきた時など取り込むのに大変である。取り込んだ後でも団子状になり、シワにもなる。シワになったものはアイロンを掛けなければならない。
【発明の開示】
【発明の解決しようとする課題】
【０００３】  大きいシーツは直接広げて干すしかなく場所を広く取り、取り込む時も大きいので取り扱いにも困る。この発明は、このような問題を解決することを課題とする。
【課題の解決するための手段】
【０００４】  この発明に係る物干しハンガーは、長さ方向に平行な３本の縦フレーム１、２、３の両端を横フレーム４、５で連結した平面形状が日の字形のフレームＦを有し、同フレームＦは、前記３本の縦フレーム１、２、３は中央部に設けたヒンジ６で２つに折り畳みが可能となっており、前記横フレーム４、５には、それぞれ少なくとも２本の吊り紐７の一端を一定の間隔で取り付け、各吊り紐７の他の端にはフック１０を取り付け、前記縦フレーム１、２、３と横フレーム４、５には、連結紐８を介してピンチ９を取り付けたことを特徴とするものである。
【発明の効果】
【０００５】  シーツ、バスタオル、ブランケット等のシーツ状の物を干す時、場所をとらない。
また、取り込む時干したまま、場所を移動するだけで取り込める。
【発明を実施するための最良の形態】
【０００６】  図１において、Ｆは長さ方向に平行な３本の縦フレーム１、２、３の両端を横フレーム４、５で連結した平面形状が日の字形のフレームである。なお、平面形状が目の字形のものも採用である。フレームＦは、前記３本の縦フレーム１、２、３の中央部に設けたヒンジ６で２つに折り畳みが可能となっている。【０００７】  ７は、横フレーム４、５に一端を一定間隔で横フレーム４、５に取り付け、他端をフック１０に取り付けた吊り紐である。各吊り紐７は横フレーム４、５の両端より内側に設けてある。
シーツ等を図２のように干すためである。シーツは横１２０ｃｍ〜１５０ｃｍ位、縦２２０ｃｍ〜２５０ｃｍ位が普通サイズになっている。シーツは縦二つ折りで干す。干した状態では、図２のように横から見てＭ字形になるので、シーツを１／４の長さで干すことができる。【０００８】  シーツは１／４の長さを目安として、縦フレーム１３にＭ字型に掛ける。縦フレーム４，５には、その端部よりに連結紐８が取り付けてある。連結紐８の長さは６０ｃｍの位の長さである。連結紐８の先にはピンチ９が付けてある。シーツは干した後にピンチ９で挟んで図２のように安定させることが出来る。縦フレーム１、２、３の長さはシーツを二つ折りで干すので７５ｃｍ位になっている。縦フレーム２は力竿になっているが、シーツ以外の物を干す時に、他の目的にも利用できる。【０００９】  縦フレーム１、３の間隔は３０ｃｍ位にしてあるので、日照を妨げることはない。場所を取らずに普通の物干しハンガー同様に干せるし、干し物を取り込む時も簡単にハンガーを移動するだけで取り込める。
【図面の簡単な説明】
【図１】  実施例の物干しハンガーの斜視図
【図２】  図１の物干しハンガーにシーツを干した状態を示す斜視図
【符号の説明】
１２３  縦フレーム
４５  横フレーム
６    ヒンジ
７    吊り紐
８    連結紐
９    ピンチ
１０  フック
【図１】
2005218835.tif 000003
【図２】
2005218835.tif 000004
(57)【要約】【課題】従来の足裏マッサージ器は、ゴルフボールの回転方向が一定になりがちであり自由に動かせず、そして足がゴルフボールから足がズレ落ちそうになり、そして比較的大掛かりでありこれらを課題にしたものである。【解決手段】足ズレ落防止側面及び球体受部を有する基体と、この球体受部に転動自在に収納された球体との組合せで構成されたもので解決することが出来る。【選択図】図１
2005218831.tif 000002
【特許請求の範囲】
【請求項１】
プラスチックあるいはゴム等で形成され、足のズレ落防止側面及び球体受部を有する基体と、この球体受部に転動自在に収納された球体との組合せで構成された足裏マッサージ器。
【発明の詳細な説明】
【技術分野】
【０００１】  本発明は、一般のマッサージ器の中で、携帯でき何時でも何処でも手軽にマッサージできる足裏マッサージ器に関する。
【背景技術】
【０００２】  従来の足裏マッサージ器には、ゴルフボール中央部の貫通穴に紐を通しボールを止、一定方向に回転させながら足裏をマッサージさせるものがある（例えば非特許文献１参照。）。
また、ボールを長いＵ溝状のガイドにのせ、足の前後動作によるものと共に足指をはさむ等してマッサージさせるものがある（例えば非特許文献２参照。）。
また、足の指圧器具として、スリッパやサンダル等の履物の上面にゴルフボールを足の裏を所定量往復できるようにしたものがある（例えば特許文献１参照。）。
【非特許文献１】    特開平１１−２３９５９４
【非特許文献１】    特開２００２−１１９５６３
【特許文献１】      特許第３１６７２８１号
【発明の開示】
【発明が解決しようとする課題】
【０００３】  以上に述べた従来の足裏マッサージ器では、ゴルフボールに紐を通したり回転ガイドがあったりスリッパやサンダルにのせたりで、回転方向が一定になりがちであり足裏の位置を自由に動かせず、また、足を動かした時にゴルフボールから足がズレ落ちそうになり止めるのはそれこそ大変であるのに、その対応が全く見られず逆に足全体にストレスが溜まるものであった。そして比較的大掛かりであった。【０００４】  本発明は、このような従来の構成が有している問題を解決しようとするものであり、足ズレ落防止側面を設け足裏を自由に動かせるもので、ポケットに入れられ手軽に携行でき何時でも何処でも何かをしながらでも足の裏をマッサージできることを目的とするものである。
【課題を解決するための手段】
【０００５】  そして、本発明は上記目的を達成するためにプラスチックあるいはゴム等で形成され、足ズレ落防止側面及び球体受部を有する基体と、この球体受部に転動自在に収納された球体との組合せ構成された足裏マッサージ器を供給するものである。【０００６】  上記第１の課題解決手段による作用は次の通りである。すなわち、容易に入手できるゴルフボールを利用した例で云えば、ゴルフボールを入れる基体も小さくて済みポケット等に入り手軽に携行でき、ゴルフをしている合間にあるいは立っている時あるいは座っている時あるいはディスクワークをしている時等何かをしていながらでも何時でも何処でも手軽に足の裏をマッサージできるものであり、ましてこのことは健康のためのツボが集中している足の裏であり体調回復そしてストレス解消に大いに役立つものである。
【発明の効果】
【０００７】
【０００８】  以上述べたように本発明の足裏マッサージ器は、手軽に携行でき何時でも何処でも足の裏のツボをマッサージすることができ体調回復そしてストレス解消が身近にすぐにできる足の裏マッサージ器として提供できる。
【発明を実施するための最良の形態】
【０００９】  以下、本発明の実施の形態を図１〜図６に基づいて説明する。【００１０】  図においては、足ズレ落防止側面ａ及び球体受部ｄを有する基体１と、この球体受部に転動自在に収納された球体ｂとの組合せ構成されたものでその上に足ｃのせたものである。【００１１】  以下、上記構成の動作を説明する。容易に入手できるゴルフボールを利用した例で云えば、ゴルフボールを入れる基体も小さくて済みポケット等に入り手軽に携行でき、ゴルフをしている合間にあるいは立っている時あるいは座っている時あるいはディスクワークをしている時等何かをしていながらでも何時でも何処でも手軽に足の裏をマッサージできるものである。このことは足ズレ落防止側面がありどの位置でも足任せに転動自在にできるからである。身近にあり必要な時すぐに取り出し活用できるもので健康のためのツボが集中している足の裏であり体調回復そしてストレス解消に大いに役立ち効果を発揮するものである。
【図面の簡単な説明】
【００１２】
【図１】  本発明の実施形態の一実施例を示す足裏マッサージ器の平面図
【図２】  同足裏マッサージ器の図１におけるＩＩ−ＩＩ断面視図
【図３】  同足裏マッサージ器の一実施例の外観図
【図４】  本発明の実施形態の一実施例を示す足裏マッサージ器の平面図
【図５】  同足裏マッサージ器の図４におけるｖ−ｖ断面視図
【図６】  同足裏マッサージ器の一実施例の外観図
【符号の説明】
【００１３】  １  基体
ａ  足ズレ落防止側面
ｂ  球体
ｃ  足
ｄ  球体受部
【図１】
2005218831.tif 000003
【図２】
2005218831.tif 000004
【図３】
2005218831.tif 000005
【図４】
2005218831.tif 000006
【図５】
2005218831.tif 000007
【図６】
2005218831.tif 000008
(57)【要約】【課題】  従来の健康管理の一手段として、床置き型の体重測定器を使用し、体脂肪と体重を測定する方法が一般的で、従来の方法だと床部分の場所を取り、また、習慣性が身に付かず、健康管理をするのに継続性がないため問題があった。【解決手段】家庭用電源から１００Ｖ，ＡＣアダプターを便器の受け口ジャックに接続使用する。健康管理を継続的にするには、習慣性が身に付き、頻度が多く場所をらないものと考えた。そこで日常的にトイレの便座に座る回数が多いと考え、便座上部１に座ることにより、２の樹脂カバー付き電極版から微弱な電流が流れ、３の内部の４の体脂肪と体重測定器へと連動し、さらに５の袖部分のパネルへと連動することにより，６の測定値表示板へと測定数値が表示されることで、場所を取らず容易に継続的に健康管理ができるものとした。【選択図】  図１
2005218832.tif 000002
【特許請求の範囲】
【発明の詳細な説明】
【技術分野】
【０００１】本発明は、電源は家庭用１００Ｖを使用し、コンセントからＡＣアダプター変圧器を通し、便器の受口ジャックに差し込み用ジャックを接続して作動させる。日常的に健康管理を容易にするために、便座内部に体脂肪及び、体重測定機能を装着し、便座に座ることにより、体脂肪と体重を計る事が、できるようにしたものである。
【背景技術】
【０００２】従来は、床に体重測定器を置いて、体脂肪と体重を計るのが一般的で、便座に座るだけで、体脂肪と体重を計ることができる便座はなかった。
【発明の開示】
【発明が解決しようとする課題】
【０００３】体脂肪と体重を計るには、体重測定器を購入しなければならず、また、測定をしようとする習慣が身に付かず、体重測定器を使用する期間が限られ、日常的に健康管理をできないという問題があった。本発明は、この課題を解消するためになされたものである。
【課題を解決するための手段】
【０００４】家庭内の電源を使用することにより、便座内部に体脂肪と体重測定機能を装着し、袖のパネル部分に測定値が表示されるようにした。日常的に便座に座る頻度が多く、座ることにより、体脂肪と体重測定ができるようになり、健康管理がたやすくできるようにした。
【発明の効果】
【０００５】日常的に便座に座ることが多く、便座内部に体脂肪と体重測定器機能を装着することで、容易に測定ができ健康管理がしやすい。
以下、本発明の実施の形態についてせつめいする。
（イ）便座上部１に２の樹脂カバー付き電極版を取り付ける。
（ロ）便座内部３に４の体脂肪と体重測定機を装着する。
（ハ）便座、袖のパネル部分５に６の測定数値を表示させる。
【実施例１】
【０００６】家庭内の電源を使用し便座は洋式とする。便座上部の１に２の部分の、樹脂カバー付きの電極版を取り付け、便座内部の３に４の体脂肪と体重測定機能付きの機械を装着することで、人が便座に座る事により、１の２の部分から、微弱な電流が体内を流れることで、体脂肪と体重測定ができ、４の機能と連動し、５のパネルの測定値表示板６へ数値を表示することができる。
【図面の簡単な説明】
【０００７】
【図１】  本発明の正面図である。
【図２】  本発明の使用状態を示す断面図である。
【符号の説明】
【０００８】  １  便座上部
２  樹脂カバー付き電極版
３  便座
４  体脂肪と体重測定器
５  袖部分パネル
６  測定値表示板
７  便器蓋
８  便器本体
９  電線
１０  差し込み口
１１  家庭用電源ＡＣアダプター
【図１】
2005218832.tif 000003
【図２】
2005218832.tif 000004
【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
本発明は、日常的に健康管理を容易にするために、洋式便器の便座内部に電極版と体重測定機能の装置を装着し、便座に座ることにより体脂肪と体重を計る事ができるようにしたものである。
【請求項２】
家庭内の１００Ｖ電源を使用し、洋式便器の便座に腰掛けることにより便座上部の電極版に触れ体脂肪が計れるのと、便座に加重がかかり便座内部の体重測定機能装置により体重測定値が便座袖部のパネルへと数値が表示できる。
(57)【要約】【課題】複雑で大がかりな工事を必要とする現行の温水噴射装置に対し電源に充電式電池を使用して工事レスで安全な浴槽内設置式温水噴射循環装置を提供する。【解決手段】浴槽内の湯に本機をそのまま設置し、浴槽外に位置する頭部防水型ケース内の電池を電源としてポンプを駆動し、パイプを介して背中と脚に湯と気泡を循環、噴出させる装置で、浴室工事及び配管工事、電気工事などの工事が一切不要の工事レスで安全性を特徴とする温水噴射循環装置である。【選択図】図４
2005218834.tif 000002
【特許請求の範囲】
【請求項１】
浴槽内に設置した腰掛け形状を持たせた機器の、頭もたれの部分に駆動用の充電式電池とポンプを設け、このポンプに連結したパイプを介して、背もたれ、座部に設けたノズル孔から浴槽内の湯を噴出させ、噴出時のベンチュリー効果によって気泡を同時に噴出させる事を特徴とする浴槽内に設置するコードレス温水噴射循環装置。（図−１）
【請求項２】
上記機器を浴槽内に固定するための吸盤付き脚。（図１−１１）
【請求項３】
上記機器を寸法の大小異なる浴槽内にフィットして設置するための左右、上下をアジャストする装置。（図５−１５）
【請求項４】
浴槽内で使用する場合、湯と気泡を噴出するノズルを身体表面の皮膚で塞がないための凹み部分あるいはスリットの設置。（図１−５，７）
【請求項５】
電池部とポンプ部を含む駆動部を浴槽の湯の外側の頭部もたれを兼用する防水型ケース内に内蔵する装置。（図−１）
【発明の詳細な説明】
【技術分野】
【０００１】本発明は浴槽内に湯と気泡を噴出する温水噴射循環装置に関するものである。
【背景技術】
【０００２】従来、専用浴槽を使いその浴槽を設置するための配管工事を施工した浴室を造成し、大型高電圧のモーターでポンプを駆動する温水噴射循環装置があった。
【発明の開示】
【発明が解決しようとする課題】
【０００３】次のような問題点があった
（イ）強力な馬力のモーターで駆動するため湯の噴出、吸引力が強く女性や子供の長髪が巻き込まれ人命に関わる事故が多発した。
（ロ）強力なモーターは高電圧、高電流が必要であり、水を使用する浴室内に設置すると感電の恐れがあり危険なため浴室外に設置し、湯水は配管によって供給する方式をとっており、各家庭で元来使っている浴室、浴槽にすぐ設置して使用できない。
（ハ）専用浴槽とその浴槽を設置する浴室が必要のため建築、配管、電気工事など大がかりな工事が必要で、しかも高額な費用がかかり、大衆の手に入りにくい。
本発明はこれらの問題点を解決するためになされたものである。
【課題を解決するための手段】
【０００４】本発明は低電圧で安全な電池を電源とした機器で、浴槽内に本機を装着し、浴槽外の頭部防水型ケース内の電源、ポンプを作動しパイプを介して背もたれ、座台に開けたノズル孔から浴槽内の湯を循環、噴出させ全身を快適に刺激し暖めるコードレス温水噴射循環装置である。
【発明の効果】
【０００５】コードレス機器であるため、大がかりな装置や工事が不要で、現在ある各家庭の風呂場の浴槽にそのまま設置でき安全且つ衛生的に使用できる温水噴射循環装置である。
【発明を実施するための最良の形態】
【０００６】以下、本発明の実施の形態について説明する。（図１）
（イ）座椅子状の本機の後部上面の頭部防水型ケース（１）の中に電池（２）とポンプ（３）を設ける。
（ロ）頭部防水型ケースの下部に、前面２ケ所にノズル孔（５）を有する背もたれ部（４）をもうける。
（ハ）底部に腰掛けの座にあたる座部（６）を設けその上面に２ケ所のノズル孔（７）を設ける。
（ニ）正面から見て左右に肘掛け部（８）を設け右側上面に機器を作動させるコントロール部（９）を置く。
（ホ）肘掛け部は、幅、高さ調節機能を持つ調節アングル（１０）を巾調節ネジ（１５）によって浴槽の巾と深さを調節し座部に固定する。
（ヘ）頭部防水型ケースに内蔵された電池によってポンプを駆動し、座部に配置された吸込口より浴槽の湯を吸い込み、パイプを介して背もたれ部と座部に開けられたノズル孔より身体に向かって湯と泡を噴出させる。
【図面の簡単な説明】
【０００８】
【図１】本発明の斜視図
【図２】本発明の一部を切り欠いた側面図
【図３】本発明の一部を切り欠いた背面図
【図４】本発明の使用状態斜視図
【図５】本発明の肘掛け部分詳細図
【符号の説明】
【０００９】  １  頭部防水ケース
２  電池
３  ポンプ
４  背もたれ部
５  ノズル孔Ａ
６  座部
７  ノズル孔Ｂ
８  肘掛け部
９  コントロール部
１０  調節アングル
１１  吸盤付き脚
１２  パイプ（吸い込み側）
１３  吸い込み口フィルターユニット
１４  パイプ（噴出側）
１５  肘掛け寸法調節ネジ
【図１】
2005218834.tif 000003
【図２】
2005218834.tif 000004
【図３】
2005218834.tif 000005
【図４】
2005218834.tif 000006
【図５】
2005218834.tif 000007
(57)【要約】【目的】  一般的に，各家庭で簡単に布団干しができる。【構成】〔イ〕伸縮式布団干し台１に四角の穴の２と３も有る全体を作る。〔ロ〕伸縮式布団干し台１の四角穴の２から伸縮防止用ステーの2005218833.tif 000010〔ハ〕伸縮式布団干し台１の四角穴の３からも伸縮防止用ステー2005218833.tif 000011  以上の様に作った構造なので一度三枚の布団がほせる。【選択図】    図  １
2005218833.tif 000002
【特許請求の範囲】
【請求項１】
〔イ〕伸縮式布団干し台１に四角の穴の２と３も有る全体を作る。
〔ロ〕伸縮式布団干し台１の四角穴の２から伸縮防止用ステーの
2005218833.tif 000008
〔ハ〕伸縮式布団干し台１の四角穴の３からも伸縮防止用ステー
2005218833.tif 000009
状態の伸縮式布団干し台であって，
以上，三様な変化の出来る構造の伸縮式布団干し台。
【発明の詳細な説明】
【発明の詳細な説明】
【産業上の利用分野】
【０００１】本発明は三様な変化になる伸縮式布団干し台である。
【背景技術】
【０００２】従来一般には塀とか物干し竿等で干している又市販している物で立てた折りたたみ式の物干し具などに掛けたり又，吊したりして布団を干すが直射日光は受けず又布団の裏側の通気も悪く乾きが遅い其ため風に依る布団の脱落や又転倒など考えると寝具の布団で有から干す事をためらう事になり干す回数も減り其れは健康の面からも良くない，しかし布団は干した方が健康の為にもよい。
【発明が解決しようとする課題】
【０００３】晴天の日には誰もが短時間に布団干しが出来れば良いと思って，居るが干す物が布団である為ブロックの塀に掛けて干したり又は二階の窓から出て瓦の上に広げて干したり色々と工夫して布団は干されて居るが適当で又清潔な干し場所は，余りなく問題である。
【問題を解決する為の手段】
【０００４】本発明の伸縮式の布団干し台を前記の課題に鑑み創作されたものであってベランダの片隅に置いてあったり又出勤した後の自動車の駐車場の片隅に置いた伸縮式の布団干し台を良い日は出し簡単に拡張して布団干し台で布団を干せば日光も受やすく布団の裏側の通気も良く短時間で，ふんわりと干せた布団になり毎日の布団干しも天気を見ながら適宜に選択して実施すればよい。
【実施例】
【０００５】〔イ〕の，伸縮式布団干し台の収納方法は，次の通り。
2005218833.tif 000003
ステー１８のストツパー１９のロツク２０を外してから布団の垂れ下がり防止用ベルト，１５，１５，１５の固定捧の２１を固定棒掛け具１１から外してベルトの自働巻き込みケース２６に巻き込み収納して其の巻き込みケースの埋め込み板９を持つて次に反発式のスプリングの受台１２を内側に押付け自働巻き
2005218833.tif 000004
補助布団干し台１４を〔イ〕の伸縮式布団干し台の四角穴の２
2005218833.tif 000005
防止用ステー１８のストツパーの１９のロツク２０を外し補助布団干し台１６の布団垂れ下がり防止用ベルトの１７，１７，１７の固定棒２１を固定棒掛け具の１１から外し自働巻き込みベルトケースの２７に収納しそのベルトケース２７の埋め込み板９を持ち反発式スプリングの受台１２を内側に押しつけて，自働巻き込みベルト，ケース２７の埋め込み板９を下に下げて。
2005218833.tif 000006
〔イ〕の伸縮式布団干し台１の四角穴の３に押し込んでから次に〔イ〕の伸縮式布団干し台の取手部の６と６を引き寄せ付てから前後回転の車輪４のブレーキ５をロツクした３０を上にし外してブレーキを解除する。
後は，〔イ〕の伸縮式布団干し台用の締めつけ用のバンドで，バンド用穴の１３に通して〔ロ〕と〔ハ〕の脚をそれぞれに，締め付けて，適当な場所に置く。
尚，その時補助布団干し台の１４，１６の自在回転車輪の２２は，着地面から離れている。
又，実施例では，伸縮式布団干し台の〔イ〕〔ロ〕〔ハ〕との，収納の例を挙げたが，其の連結部内の構造は次の通りである。〔イ〕の伸縮式布団干し台の２，３の合体用の四角穴の入口の
2005218833.tif 000007
布団干し台の１４，１６の差し込み部にも上下にローラを付けでから，そのローラーとローラーの中間の位置に棒を横に固着してその棒に掛ける脱落防止用の自働巻き込みスプリング入りケースの２３，２４から引き出したスプリングの先端に付けて有る掛け具を，その四角穴の中に横に固着した棒に掛てある。
【発明の効果】
【０００６】人間である以上誰でも使う寝具の布団であればその日の身体の中から出た水分を布団から追い出したい気持は誰もが同じ事で本発明の伸縮式布団干し台の効果は，大きい。
【図面の簡単な説明】
【０００７】
【図１】  本発明の伸縮式布団干し台の側面図
【図２】  本発明の伸縮式布団干し台の平面図
【図３】  本発明の伸縮式布団干し台の後正面図
【図４】  本発明の伸縮式布団干し台の前正面図
【符合の説明】
１  〔イ〕  の本体伸縮式布団干し台
２  〔ロ〕  の補助布団干し台の１４の入る四角穴
３  〔ハ〕  の補助布団干し台の１６の入る四角穴
４  前後，回転車輪
５  ブレーキ，レバー
６  取手部
７  長さ限定，ベルト
８  長さ限定，三本ベルト
９  布団垂れ下がり防止ベルト１５．１７の自働巻き込みケースの埋め込み板
１０  布団垂れ下がり防止ベルト１５．１７の固着棒，掛け具付板
１１  布団垂れ下がり防止ベルト１５．１７の固着棒，掛け具
１２  ９の自働巻き込みケースの埋め込み板と１０の掛け具付板の反発式スプリングの受台
１３  本発明の伸縮式布団干し台用，締め付けバンドの通し穴
１４  〔ロ〕の補助布団干し台
１５  〔ロ〕の補助布団干し台用のベルト
１６  〔ハ〕の補助布団干し台
１７  〔ハ〕の補助布団干し台用のベルト
１８  〔イ〕〔ロ〕の補助布団干し台用伸縮防止用ステー
１９  伸縮防止用ステーのストツパー
２０  伸縮防止用ステーのストツパーのロツク
２１  １５，１７双方のベルトの固着棒
２２  〔ロ〕〔ハ〕補助布団干し台の自在回転車輪
２３  〔ロ〕の補助布団干し台の脱落防止用スプリングケース
２４  〔ハ〕の補助布団干し台の脱落防止用スプリングケース
２５  〔イ〕の布団干し台用ベルト８の自働巻き込みケース
２６  〔ロ〕の補助布団干し台用ベルト１５の自働巻きこみケース
２７  〔ハ〕の補助布団干し台用ベルト１７の自働巻き込みケース
２８  〔イ〕の長さ限定ベルト７の自働巻き込みケース
２９  〔イ〕の布団干し台用ベルト８の固定具
３０  〔イ〕の布団干し台の前後回転車輪４のブレーキロツク
３１  〔イ〕の布団干し台のブレーキの離れ止め部
３２  〔イ〕の布団干し台の取手部の離れ用のスプリング
【図１】
2005218833.tif 000012
【図２】
2005218833.tif 000013
【図３】
2005218833.tif 000014
【図４】
2005218833.tif 000015
(57)【要約】【課題】インターネット端末からファックス端末への送信については課金時の制約から利便性の高い送信方法がなかった。【解決手段】送信文を解析し絞り込んだ広告を送信文と同時に送ることで送信コストを広告主に転嫁可能な付加価値の高い広告システムを実現する。【選択図】  「図２」
2005218076.tif 000002
【特許請求の範囲】
【請求項１】
電子メール若しくは、インターネット上のホームページで受け付けたメッセージをファックス送信するシステムにおいて、
こうして送信データを受け付けタイムスタンプを付加するステップと、
その後受け付けた文字データから送信先電話番号を抽出し、本文からはさらに広告主より依頼のあったキーワードを検索すステップと、
上記処理で得られた、キーワード、時刻、地域を検索キーとしてデータベースから該当する広告を選択するステップと、
得られた広告データに送信文を合成してファックスデータを作成しファックス出力を行うステップと、
広告主への課金を行うステップを特徴とするファックス送信システム。
【発明の詳細な説明】
【技術分野】
【０００１】本発明はパーソナルコンピュータ・携帯電話等インターネット利用端末からファックスへのデータ転送システムに関する。
【背景技術】
【０００２】従来のインターネット端末からファックスへのデータ転送システムは送信時の回線利用料等の費用を送信元負担として会員制のもと課金していた。（例えば非特許文献１参照。）
【非特許文献１】『ＫＣＯＭ社  メールＤＥファックスサービス』
【発明の開示】
【発明が解決しようとする課題】
【０００３】インターネットを用いた電子メールと電話網を用いたファックスは互換性がなく、電子メールからファックスへの送信はデータの変換が必要である。また前者は基本的に無料であるが後者は有料である。
従って、電子メールからファックスへの変換を実施するにあたっては最低限電話回線使用料分の課金が必要となる。既存の事業では送信者から徴収するため会員性としていたが、１個人の利用頻度としては比較的低頻度の役務であり入会や決済の手続きが利便性を損ねていた。
【課題を解決するための手段】
【０００４】  電子メール若しくは、インターネット上のホームページで受け付けたメッセージをファックス送信するシステムにおいて、
こうして送信データを受け付けタイムスタンプを付加するステップと、
その後受け付けた文字データから送信先電話番号を抽出し、本文からはさらに広告主より依頼のあったキーワードを検索すステップと、
上記処理で得られた、キーワード、時刻、地域を検索キーとしてデータベースから該当する広告を選択するステップと、
得られた広告データに送信文を合成してファックスデータを作成しファックス出力を行うステップと、
広告主への課金を行うステップを特徴とするファックス送信システム。
【発明の効果】
【０００５】本発明に係るインターネットファックス送信システムによれば、利用者は事前の手続き無しに必要な時に携帯電話等インターネット端末から公衆回線に接続されているファックスへ情報を送付でき、また広告主にとっても有用な媒体とすることができる。
【発明を実施するための最良の形態】
【実施例】
【０００６】本発明の実施の一形態を図について説明する。図２はシステム全般を示す概念図である。１はシステム利用者（ファックス送信元）が用いるインターネット端末である。１はインターネット回線２を通じて、システム３にメール等を利用してデータを渡す。受けたデータはデータ処理装置４内で電話番号やその他のキーワード抽出が行われる。この過程で得た条件で広告データと配布条件を収納したデータベース５にアクセスし適当な広告を選択する。送信する広告が決定された後、広告データと送信文を合成しファックスデータに変換後公衆回線網６を通じてファクシミリ装置７に送信をおこなう。この後広告主に対して課金処理を行う。【０００７】次にこの発明の実施手順を図１のフローチャートを参照しながら説明する。利用者は端末１を用いてインターネット２を通じてインターネットファックスシステム３にデータを送信する。送信手段としては主に電子メールが想定されるが、ウェブページを用いたものでも良い。こうして送信データを受け付け（ステップ１）、同時に受け付けたタイムスタンプを付加する（ステップ２）。その後受け付けた文字データから送信先電話番号を抽出し、本文からはさらに広告主より依頼のあったキーワードを検索する（ステップ３〜ステップ８）。上記処理で得られた、キーワード、時刻、地域を検索キーとしてデータベースから該当する広告を選択する（ステップ９）。
得られた広告データに送信文を合成してファックスデータを作成（図３）し（ステップ１０）ファックス出力を行う（ステップ１１）。最後に広告主への課金を行う（ステップ１２）。
【図面の簡単な説明】
【図１】本発明の実施の一形態であるインターネットファックス送信システムのフローチャートである。
【図２】本発明の実施の一形態であるインターネットファックス送信システムを示す概念図である。
【図３】本発明の実施の一形態である広告と送信文の合成例を示す。
【符号の説明】
１  インターネット端末
２  インターネット
３  システムサーバー
４  データ処理装置
５  データベース
６  公衆回線網
７  ファクシミリ装置
８  送信文
９  広告の１例
１０  広告１例
【図１】
2005218076.tif 000003
【図２】
2005218076.tif 000004
【図３】
2005218076.tif 000005
(57)【要約】      （修正有）【課題】従来の有線式のケーブル対照器においては、有線（電話線による打ち合わせ線）が無いと使用できないのでこのケイタイを利用することで、どんな場所でも作業を可能とした。【解決手段】ケータイくん（Ａ）をビル側、ケータイくん（Ｂ）を現場側として用いケイタイを介して打ち合わせしながらケーブル芯線対照を行うものである。【選択図】図３
2005218072.tif 000002
【特許請求の範囲】
【請求項１】
本発明は、プラステチック等のケースにマイク付きイヤーホン・ブザー・トランジスタ抵抗・電池ＢＯＸ・クリップリード線等がくみこまれたものでケーブル芯線をケイタイを使用してケーブル芯線の対照を行うアダプターである。
【発明の詳細な説明】
【発明の詳細な説明】
【０００１】  本発明は、ムーバ（ケイタイ）に付加して使用するケーブル芯線対照アダプターである。
【０００２】  従来のケーブル対照器は有線式である為に作業効率が非常に悪い、まず相手との連絡をしようとすれば通話線（打合線）を現地とビル内との電話線が必要である。
【０００３】  本発明は、ムーバ（ケイタイ）に付加して使用するケーブル芯線対照アダプターであるのでケイタイの通じる箇所なら従来の電話線が不要で作業の効率が非常に高い。
【０００４】  本発明は、小型・軽量で乱雑になり勝ちなイーヤホン・各リード線がケース内に収納できるのでポケットに収まり携帯に非常に便利である。
【図面の簡単な説明】
【図１】          本発明のケータイくん（Ａ）の斜視図である
【図２】          本発明のケータイくん（Ｂ）の斜視図である
【図３】          ケータイくん（Ａ）の部品配置図である
【図４】          ケータイくん（Ｂ）の部品配置図である
【符号の説明】
１ケータイくん（Ａ）                １ケータイくん（Ｂ）
２マイク付きイヤーホン              ２マイク付きイヤーホン
３イヤーホンプラグ                  ３イヤーホンプラグ
４クリップ（赤）付きリード線        ４クリップ（赤）付きリード線
５クリップ（黒）付きリード線        ５クリップ（黒）付きリード線
６電源スイッチ                      ６検知部
７ブザー部                          ７イヤーホン・プラグ・リード線収納
８ＭＩＣ部
９検知部
１０電池部
１１イヤーホン・プラグ・リード線収納部
【図１】
2005218072.tif 000003
【図２】
2005218072.tif 000004
【図３】
2005218072.tif 000005
【図４】
2005218072.tif 000006
(57)【要約】【課題】  扇風機や空調機などの専用の設置場所を必要とせず、利用者個人の周辺で高い濃度のマイナスイオン環境を作り出す。【解決手段】  外部装置との通信機能と利用者が通話するための送受話器等を備えた通信端末装置で、通信端末装置の表面にマイナスイオン発生部を設けた通信端末装置の一実施例であるＰＨＳ端末において、公衆通信網との通信機能としてのインタフェースであるアンテナ１１と、利用者が通話するための送受話器部の送話部１４と受話部１５とを備えたＰＨＳ端末１０の操作部背面側と、送受話器部との表面にマイナスイオン発生部１６とを設けた。【選択図】  図１
2005218073.tif 000002
【特許請求の範囲】
【請求項１】
外部装置との通信機能と、利用者が通話するための送受話器部等を備えた通信端末装置において、通信端末装置の通信機能を操作する操作部を有する正面側と該操作を行う時の背面側との表面にマイナスイオン発生部を設けたことを特徴とする通信端末装置。
【請求項２】
請求項１記載の通信端末装置において、前記マイナスイオン発生部を前記送受話器部の受話部分周辺の表面に設けたことを特徴とする通信端末装置。
【発明の詳細な説明】
【技術分野】
【０００１】  本発明は、少なくとも外部装置との通信機能と、利用者が通話するための送受話器部とを備えた通信端末装置に関する。
【背景技術】
【０００２】  従来から、室内の任意の場所にマイナスイオン発生部を備えた扇風機を設けることによって、空気質を改善して疲労回復や健康の増進に寄与するものがある（例えば、特許文献１参照）。【０００３】  また、空調装置では、空調運転の停止時にも室内環境に常時露出しているユニットの表面にマイナスイオン発生部を設けることにより、空調装置周辺のマイナスイオン濃度を高めるものもある（例えば、特許文献２参照）。
【特許文献１】特開２００３−２９３９８４号公報
【特許文献２】特開２００３−２８７２３７号公報
【発明の開示】
【発明が解決しようとする課題】
【０００４】  しかし、上述した扇風機や空調装置は、専用の設置場所が必要であり、かつ利用者個人毎に設けることは経済上の負担が大きい。また、直接人体に接触するものではないため、せっかくマイナスイオン発生部を備えていても、利用者個人の周辺で高い濃度のマイナスイオン環境を作り出せないおそれがある。本発明は、専用の設置場所を必要とせず、利用者個人の周辺で高い濃度のマイナスイオン環境を作り出すことを目的とする。
【課題を解決するための手段】
【０００５】  上記課題を解決するために、本発明は、外部装置との通信機能と、利用者が通話するための送受話器部等を備えた通信端末装置において、通信端末装置の表面にマイナスイオン発生部を設けた。【０００６】  また、本発明は、前記マイナスイオン発生部を前記送受話器部等の表面に設けたことを特徴とした。
【発明の効果】
【０００７】  本発明によれば、利用者個人が使用する通信端末装置の表面にマイナスイオン発生部を設けたことにより、扇風機や空調装置のような専用の設置場所を必要とせず、利用者個人の周辺で高い濃度のマイナスイオン環境を作り出すことができ、疲労回復や健康の増進に寄与することができる。【０００８】  また、マイナスイオン発生部を送受話器部の表面に設けることにより、利用者が送受話器部を手で持ち、かつ送受話器部の受話部分を耳に当てるため、利用者個人の周辺で、より濃度の高いマイナスイオン環境を作り出すことができる。
【発明を実施するための最良の形態】
【０００９】  以下、本発明の実施形態について説明する。なお、以下の実施形態では、ＰＨＳ端末など無線式の携帯電話機を例にあげて説明する。しかし、本発明はこれに限定されない。例えば、無線式の携帯電話機だけではなく、有線式の電話機、ボタン電話装置のボタン電話機、構内交換装置の多機能電話機、ＩＰ（Ｉｎｔｅｒｎｅｔ  Ｐｒｏｔｏｃｏｌ）電話機等の送受話器部等を備えた通信端末装置で実施しても良い。【００１０】  本発明のマイナスイオン発生部とは、マイナスイオンを発生させるものであれば特に限定されないが、トルマリン（通称：電気石）の粒子を含有するインク（塗料を含む）を送受話器部の表面に直接印刷（塗料の場合は直接塗装）したものを使用することで説明する。なお、送受話器部の表面に直接印刷する方法ではなく、トルマリンの粒子を含有するインクをフィルム基材に印刷し、そのフィルムを送受話器部の表面に貼り付ける方法を用いても良い。【００１１】  なお、トルマリンは温度変化によりマイナスイオンの発生量が変わることが知られているが、本発明は、利用者が送受話器部を手で持ち、かつ送受話器部の受話部分を耳に当てることにより、人間の体温の影響でトルマリン粒子の温度が上がり、より濃度の高いマイナスイオン環境を作り出す効果をも併せ持つものである。【００１２】  図１は、本発明に係る一実施例ＰＨＳ端末１０の外観図である。図１（Ａ）は、ＰＨＳ端末１０の正面図、図１（Ｂ）は、ＰＨＳ端末１０の背面図を示す。【００１３】  ＰＨＳ端末１０は、外部装置（例えば、ＰＨＳによる公衆通信網）との通信機能としてのインタフェースであるアンテナ１１と、ＬＣＤ表示器１２と、１２個のダイヤルキー、および複数の機能キーからなる操作部１３と、送受話器部の送話部分１４と、送受話器部の受話部分１５と、マイナスイオン発生部１６とで構成される。なお、ＰＨＳ端末１０自体が送受話器部となっている。【００１４】  マイナスイオン発生部１６は、（Ａ）正面図の送受話器部の受話部分１５の周囲（耳が当たる部分）と、（Ｂ）背面図のほぼ全域（手で持つ部分）に、点線部分で示してある。この点線部分（マイナスイオン発生部１６）に、前記トルマリン粒子を含有するインクを直接印刷（または、印刷したフィルム基材を貼り付け）することで構成される。なお、図示していないが側面部にもマイナスイオン発生部を設けても良い。
【図面の簡単な説明】
【００１５】
【図１】本発明に係る一実施例ＰＨＳ端末１０の外観図
【符号の説明】
【００１６】１０  ＰＨＳ端末
１１  アンテナ
１２  ＬＣＤ表示器
１３  操作部
１４  送受話器部の送話部分
１５  送受話器部の受話部分
１６  マイナスイオン発生部
【図１】
2005218073.tif 000003
(57)【要約】      （修正有）【課題】サービス利用料金を増加させることなく、公衆無線ＬＡＮアクセスサービスの利用可能エリアを増大することと、その場で必要な情報を簡易に取得できる利便性の高い公衆無線ＬＡＮアクセスサービスの提供。【解決手段】複数のプロバイダが提供する公衆無線ＬＡＮアクセスサービスを統合し、サービス利用者は、これとサービス契約を締結することにより、複数プロバイダが提供する公衆無線ＬＡＮアクセスサービスの利用が可能となる。また、サービス利用者は、公衆無線ＬＡＮアクセスサービスを利用したいエリアを通知すると、優先度の高い順に上位１個以上の利用可能公衆無線ＬＡＮアクセスサービスエリアが携帯電話もしくはＰＨＳ上に表示される。また、そのエリアで公衆無線ＬＡＮアクセスサービスを利用するために必要なアクセス権情報が同様に表示される。【選択図】図１
2005218074.tif 000002
【特許請求の範囲】
【請求項１】
１つ以上の公衆無線ＬＡＮ（Ｌｏｃａｌ  Ａｒｅａ  Ｎｅｔｗｏｒｋ）プロバイダが提供する公衆無線ＬＡＮアクセスサービスを統合し、
携帯電話もしくはＰＨＳを介して、上記統合した公衆無線ＬＡＮアクセスサービスを利用するために必要なアクセス権情報を提供する公衆無線ＬＡＮアクセスサービス。
【請求項２】
請求項１記載の公衆無線ＬＡＮアクセスサービスにおいて、
公衆無線ＬＡＮアクセスサービスが利用可能なエリア情報を保持するデータベース（以下、サービスエリアデータベース）を有し、
携帯電話もしくはＰＨＳから通知された公衆無線ＬＡＮアクセスサービスの利用希望エリアをもとに、
サービスエリアデータベースを参照することで、その周辺で利用可能な公衆無線ＬＡＮアクセスサービスのエリア、およびそのエリアで公衆無線ＬＡＮアクセスサービスを利用するために必要なアクセス権情報を提供する公衆無線ＬＡＮサービス。
【請求項３】
請求項２記載の公衆無線ＬＡＮアクセスサービスにおいて、
ある指標にもとづき、公衆無線ＬＡＮアクセスサービスエリアの優先度付けを行うサーバ（以下、ランキングサーバ）を有し、
利用可能な公衆無線ＬＡＮアクセスサービスエリアのうち優先度の高い順に上位１個以上の公衆無線ＬＡＮアクセスサービスエリア、およびそのエリアで公衆無線ＬＡＮアクセスサービスを利用するために必要なアクセス権情報を提供する公衆無線ＬＡＮサービス。
【発明の詳細な説明】
【技術分野】
【０００１】  本発明は、公衆無線ＬＡＮアクセスサービスに関する。
【背景技術】
【０００２】  従来の公衆無線ＬＡＮアクセスサービスでは、各公衆無線ＬＡＮプロバイダが提供する公衆無線ＬＡＮサービスを利用するためには、各公衆無線ＬＡＮプロバイダと個別にサービス契約を締結する必要があった。【０００３】  このため、サービス利用者は、利用可能な公衆無線ＬＡＮアクセスサービスのエリアが限定されるという問題があった。また、公衆無線ＬＡＮアクセスサービスの利用可能エリアを拡大するためには、複数の公衆無線ＬＡＮプロバイダとサービス契約を締結する必要があり、この場合には、利用料金が高くなるという問題が新たに生じていた。【０００４】  さらに、従来は、公衆無線ＬＡＮアクセスサービスが利用可能な場所を簡易に発見する手段がなく、また公衆無線ＬＡＮアクセスサービスが利用可能な場所において、そのサービスを利用するにはどのような情報が必要かをその場で簡易に入手することが困難であった。
【発明の開示】
【発明が解決しようとする課題】
【０００５】  そこで、本発明の目的は、１つ以上の公衆無線ＬＡＮプロバイダが提供する公衆無線ＬＡＮアクセスサービスを統合することにより、サービス利用料金を増加させることなく、公衆無線ＬＡＮアクセスサービスの利用可能エリアを増大することにある。【０００６】  また、携帯電話もしくはＰＨＳにより、希望するエリア周辺で利用可能な公衆無線ＬＡＮアクセスサービスエリアを簡易に検索でき、またその場でサービスを利用するために必要となる情報を簡易に入手できる利便性の高い公衆無線ＬＡＮアクセスサービスの提供を目的とする。
【課題を解決するための手段】
【０００７】  前述の課題を解決するため、本発明は次の手段を提供する。【０００８】  ▲１▼１つ以上の公衆無線ＬＡＮプロバイダが提供する公衆無線ＬＡＮアクセスサービスを統合する。ここで、各公衆無線ＬＡＮプロバイダが提供する公衆無線ＬＡＮアクセスサービスは、有料・無料を問わない。また、本発明による統合公衆無線ＬＡＮアクセスサービスを提供する事業者は、上記の各公衆無線ＬＡＮプロバイダに対して、公衆無線ＬＡＮアクセスサービス提供のためのインフラ利用料を支払う場合もある。【０００９】  ▲２▼サービス利用者は、本発明による公衆無線ＬＡＮアクセスサービスとサービス契約を締結することにより、本公衆無線ＬＡＮアクセスサービスで統合された１つ以上の公衆無線ＬＡＮサービスプロバイダが提供する公衆無線ＬＡＮアクセスサービスが利用可能となる。【００１０】  ▲３▼サービス利用者は、携帯電話もしくはＰＨＳを利用して、公衆無線ＬＡＮアクセスサービスを利用したいエリアを通知すると、サービスエリアデータベースの情報を検索し、必要に応じて、ある指標にもとづく優先度の高い順に上位１個以上の利用可能公衆無線ＬＡＮアクセスサービスエリアが携帯電話もしくはＰＨＳ上に表示される。また、利用可能公衆無線ＬＡＮアクセスサービスエリアに加え、そのエリアで公衆無線ＬＡＮアクセスサービスを利用するために必要なアクセス権情報が携帯電話もしくはＰＨＳ上に表示される。
【発明の効果】
【００１１】  本発明により、サービス利用料金を増加させることなく、公衆無線ＬＡＮアクセスサービスの利用可能エリアを増大することが可能となる。また、希望するエリア周辺で利用可能な公衆無線ＬＡＮアクセスサービスエリアを携帯電話もしくＰＨＳにより簡易に検索でき、その場でサービスを利用するために必要な情報を簡易に得ることができる利便性の高い公衆無線ＬＡＮアクセスサービスの提供が可能となる。
【図面の簡単な説明】
【００１２】
【図１】請求項３に記載した公衆無線ＬＡＮアクセスサービスの（ａ）概要、ならびに（ｂ）サービスの流れを説明する図である。
【図１】
2005218074.tif 000003